(57)【要約】【課題】音楽と映像を通して利用者の参加意識を高め、それにより営業成績向上の一助とする音楽再生システムを提供する。【解決手段】この音楽再生システムは、利用者が持参したＣＤを再生若しくはコピーするＣＤドライバ１と、曲を記憶する記憶装置３と、キーボード或いはマウスによりデータを入力する入力装置４と、表示内容を表示するディスプレイ５と、ＤＶＤ或いはビデオソフトから映像を再生するＤＶＤ／ビデオドライバ６と、ＤＶＤ／ビデオドライバ６の映像を大画面に投影するプロジェクタ７と、プロジェクタ７から投影された映像を写すスクリーン８と、再生された音楽を増幅する増幅器１０と、増幅器１０からの信号を再現するスピーカ１１と、前記全てを制御する制御装置（ＣＰＵ）９と、制御のためのプログラムが記憶されているＲＯＭ１２と、ワーキングメモリとして一時的にデータを記憶するＲＡＭ１３とを備えて構成される。【選択図】      図１
2004241027.tif 000002
【特許請求の範囲】
【請求項１】
複数の音楽曲から任意の音楽曲を選択し、該選択された音楽曲を再生する音楽再生システムであって、
前記複数の音楽曲を記憶する音楽曲記憶部と、該音楽曲記憶部に格納された音楽曲から所定の音楽曲を選択する音楽曲選択部と、外部のＣＤに記憶された音楽曲を再生するＣＤドライブ部と、ＤＶＤ若しくはビデオデータを再生する映像再生部と、前記音楽曲選択部若しくはＣＤドライブ部により再生された音楽曲を再生するオーディオ再生部と、インターネットとの接続を制御するインターネット接続部と、前記各部を制御する制御部と、を備え、
前記制御部は、前記オーディオ再生部により音楽曲を再生すると共に、前記音楽曲記憶部若しくはＣＤドライブ部により再生される音楽曲、該音楽曲を選択した利用者及び前記ＣＤを持参した利用者の何れか若しくは全てのプロフィールを前記映像再生部により映像として画面上に表示することを特徴とする音楽再生システム。
【請求項２】
前記音楽曲を選択した利用者及びＣＤを持参した利用者のプロフィールは、利用者の名前、住所、年齢、趣味及びその他の関連事項であることを特徴とする請求項１に記載の音楽再生システム。
【請求項３】
前記制御部は、前記音楽曲選択部若しくはＣＤドライブ部により再生された音楽曲の週単位若しくは月単位の曲名若しくはアーティストのランキングを集計して、前記映像再生部により再生することを特徴とする請求項１に記載の音楽再生システム。
【請求項４】
前記音楽曲記憶部は、前記インターネット接続部によりインターネットを介して受信した音楽曲及び前記ＣＤドライブ部にセットされたＣＤの音楽曲を記憶することを特徴とする請求項１に記載の音楽再生システム。
【請求項５】
前記音楽曲記憶部は、少なくとも曲名と該曲名のアーティスト名及びリクエストした利用者名を関連付けて記憶していることを特徴とする請求項２又は４に記載の音楽再生システム。
【請求項６】
前記音楽曲選択部は、ディスプレイ上の表示画面からキーボード若しくマウスにより所定の音楽曲を選択することを特徴とする請求項１または３に記載の音楽再生システム。
【請求項７】
前記制御部は、前記音楽曲選択部により前記音楽曲記憶部に記憶された音楽曲の中からアーティスト名が選択されると、該アーティスト名に該当する曲名を全て前記ディスプレイ上に表示し、更に前記音楽曲選択部により前記ディスプレイ上に表示された曲名から所定の曲名が選択されると、該曲名をリクエスト曲として登録することを特徴とする請求項１に記載の音楽再生システム。
【請求項８】
前記リクエスト曲は、前記ディスプレイ上に表示された順番により前記オーディオ再生部により順次再生されることを特徴とする請求項７に記載の音楽再生システム。
【発明の詳細な説明】
【０００１】
【発明の属する技術分野】
本発明は、音楽再生システムに関し、さらに詳しくは、音楽再生と同期して関連内容を映像として表示する音楽再生システムに関するものである。
【０００２】
【従来の技術】
従来、多数の曲目のレコードディスクを機器内に用意し、利用者がそのレコードディスクから希望するレコードディスクを選択し、所要の金額を投入することにより希望する曲を再生するジュークボックスという機器が存在し、飲食店等に設置されて利用されていた。現在ではこのジュークボックスを殆ど目にすることはないが、近年では、インターネットを使用して有料により希望する曲をダウンロードしてＰＣ内のメモリに記憶する利用方法が一般化している。しかし、この利用方法はあくまでも１個人が利用する形態であり、個人の嗜好する曲をダウンロードすることが目的であった。そのため、従来のジュークボックスにみられる様に、不特定多数の人、或いは複数の知人、複数の人々が同じ曲を聞きながら楽しむ形態とは異なるものである。また、レストラン、バー或いはスナック等で音楽を聞きながら飲食する店舗は多くあるが、そのような場所では、音楽は店側から一方的に聞かせるものであり、利用者の希望により曲を選択するものではない。つまり、バックグラウンド・ミュージックとして利用されていたに過ぎなかった。
【０００３】
【発明が解決しようとする課題】
このように、従来のジュークボックスは、あくまでもバックグラウンド・ミュージックとして音楽を聞きながら飲食したり、ダンスや会話を楽しむための消極的な利用方法が主体であり、仮にその音楽をリクエストした人のプロフィール等の情報を他の人が知りたいと思ったとしても知る手段がなく、またリクエストした本人が同好の他者に自分についての情報や意見を知らせる手段を持っていなかった。また、インターネットでの音楽のダウンロードは個人の趣味、嗜好を満足するものであり、同時に複数の人が聞いたり目にすることができない。また、バックグラウンド・ミュージックの主たる目的は、周囲の騒音を心理的に和らげたり、その場の雰囲気を演出するものである。つまり、何れの利用方法も利用者（客）がその音楽の中に参加する、所謂、利用者参加意識に乏しく、また音楽を提供する側もジュークボックス以外は音楽によって店の営業成績を向上させるといった意識が希薄であった。さらに、従来の方法は音楽のみを利用者に提供していたが、映像とリンクしたものがなく、利用者に与えるインパクトが弱かった。
本発明は、かかる課題に鑑み、音楽と映像を通して利用者の参加意識を高め、それにより営業成績向上の一助とする音楽再生システムを提供することを目的する。
【０００４】
【課題を解決するための手段】
本発明はかかる課題を解決するために、請求項１は、複数の音楽曲から任意の音楽曲を選択し、該選択された音楽曲を再生する音楽再生システムであって、前記複数の音楽曲を記憶する音楽曲記憶部と、該音楽曲記憶部に格納された音楽曲から所定の音楽曲を選択する音楽曲選択部と、外部のＣＤに記憶された音楽曲を再生するＣＤドライブ部と、ＤＶＤ若しくはビデオデータを再生する映像再生部と、前記音楽曲選択部若しくはＣＤドライブ部により再生された音楽曲を再生するオーディオ再生部と、インターネットとの接続を制御するインターネット接続部と、前記各部を制御する制御部と、を備え、前記制御部は、前記オーディオ再生部により音楽曲を再生すると共に、前記音楽曲記憶部若しくはＣＤドライブ部により再生される音楽曲、該音楽曲を選択した利用者及び前記ＣＤを持参した利用者の何れか若しくは全てのプロフィールを前記映像再生部により映像として画面上に表示することを特徴とする。
本発明の最も大きな特徴は、音楽と映像をリンクして利用者がその中に参加できる点である。つまり、パソコンのディスプレイ上の画面により、登録済の曲から自分の好きな曲、或いはアーティストを選択し、その曲がリクエストされるとその情報が映像となってスクリーン上に表示される。この画面はその場所にいる他の利用者も見るため、同じ嗜好を持つ人が誰かを特定することができ、その場の雰囲気を更に高めることができる。また、画面上に表示する場合に、リクエストした人のプロフィールを表示することにより、名前、性別、年齢、職業等がわかり、更に親交を深めることができる。また、本発明のもう一つの特徴は、登録済の曲に自分が聞きたい曲がない場合、自分のＣＤを持参してそれをメモリに記憶してもらうことにより、次回から聞きたい曲がないといった不便を防げる点である。
かかる発明によれば、音楽再生と映像をリンクし、それらのプロフィールを音楽再生と同時に表示し、登録済の曲に希望する曲がない場合、外部からＣＤにより希望の曲を入力できるので、利用者の参加意識を高めて営業成績を向上することができる。
【０００５】
請求項２は、前記音楽曲を選択した利用者及びＣＤを持参した利用者のプロフィールは、利用者の名前、住所、年齢、趣味及びその他関連事項であることを特徴とする。
曲をリクエストした場合や、登録済の曲の中に自分の希望する曲がないときに希望する曲が入ったＣＤを持参した場合、リクエストした利用者やＣＤを持参した利用者のプロフィールを画像表示して紹介することができる。しかし、これはあくまでも利用者の意思次第であり、希望しなければ表示しない。また、表示する場合でもその内容は利用者の希望で自由に選択できることが望ましい。少なくとも持参した利用者の名前、住所、年齢、趣味は表示するのが好ましい。
かかる発明によれば、利用者のプロフィールの内容が名前、住所、年齢、趣味及びその他関連事項であるので、他の利用者がそのプロフィールを見て親密になる機会が増加し、しかも店側としてはその情報から利用者の各種分析を行うことができる。
請求項３は、前記制御部は、前記音楽曲選択部若しくはＣＤドライブ部により再生された音楽曲の週単位若しくは月単位の曲名若しくはアーティストのランキングを集計して、前記映像再生部により再生することを特徴とする。
また、本発明では曲のリクエストの情報は、ＰＣ内に格納されている。従って、サービスとしてリクエストの情報からどのアーティストが一番リクエストされたかのランキングを集計して、前記映像再生部により再生することができる。
かかる発明によれば、週単位若しくは月単位の曲名若しくはアーティストのランキングを再生するので、利用者の興味を引き付け、集客率を高め固定利用者を維持して営業成績を高くすることができる。
【０００６】
請求項４は、前記音楽曲記憶部は、前記インターネット接続部によりインターネットを介して受信した音楽曲及び前記ＣＤドライブ部にセットされたＣＤの音楽曲を記憶することを特徴とする。
本発明の音楽曲記憶部はハードディスク等の大容量のメモリである。また、インターネットを介して受信した曲も、ＣＤからコピーした曲も曲としてのデータソースは同一である。従って、同じメモリ領域内に記憶しておくのが好ましい。
かかる発明によれば、音楽曲記憶部にインターネット上からの曲とＣＤからコピーした曲を記憶するので、メモリ領域が同一となりアクセスが容易となる。
請求項５は、前記音楽曲記憶部は、少なくとも曲名と該曲名のアーティスト名及びリクエストした利用者名を関連付けて記憶していることを特徴とする。
音楽曲記憶部には曲の内容は勿論のこと、その曲の曲名とアーティスト名、及びその曲をリクエストした利用者の名前とを関連付けて記憶しておけば、検索が容易となる。また、これらのデータから曲別のランキングを集計する場合、処理が容易となる。
かかる発明によれば、音楽曲記憶部には曲名とアーティスト名及びリクエストした利用者名を関連付けて記憶するので、検索時に検索が容易となり検索時間を短縮することができ、しかもランキングの集計が容易となる。
【０００７】
請求項６は、前記音楽曲選択部は、ディスプレイ上の表示画面からキーボード若しくマウスにより所定の音楽曲を選択することを特徴とする。
本発明の音楽曲選択部は、ＰＣのディスプレイに表示された画面上からキーボードやマウスにより曲やアーティストを選択する方法である。このため、ＰＣの操作になれた利用者にとっては、操作が容易となり利便性が高くなる。
かかる発明によれば、ディスプレイ上の表示画面からキーボード若しくマウスにより所定の音楽曲を選択するので、操作性が高く操作のミスを少なくすることができる。
請求項７は、前記制御部は、前記音楽曲選択部により前記音楽曲記憶部に記憶された音楽曲の中からアーティスト名が選択されると、該アーティスト名に該当する曲名を全て前記ディスプレイ上に表示し、更に前記音楽曲選択部により前記ディスプレイ上に表示された曲名から所定の曲名が選択されると、該曲名をリクエスト曲として登録することを特徴とする。
利用者が希望する曲を選択する手順は、まず、ディスプレイ上の表示画面から例えば、アーティスト名は分かるが曲名が分からない場合、アーティスト名を選択する。すると、そのアーティストの全曲が表示される。利用者はその曲名を見ながら曲を選択すると、その曲がリクエストされる。
かかる発明によれば、アーティスト名を選択するとそのアーティストの全曲が表示されるので、曲名を忘れた場合でも思い出すことができ、希望する曲を選択することができる。
請求項８は、前記リクエスト曲は、前記ディスプレイ上に表示された順番により前記オーディオ再生部により順次再生されることを特徴とする。
曲名が選択されると、現在再生中の曲がない場合は、すぐリクエスト曲が再生されるが、現在再生中の曲がある場合は、その曲が終了後、再生される。しかし、再生中の曲の後に他のリクエスト曲がある場合は、そのリクエスト曲の後に順次再生される。
かかる発明によれば、リクエスト曲はディスプレイ上に表示された順番に再生されるので、順番が前後することなく再生され、公平なサービスを提供することができる。
【０００８】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の一実施形態に係る音楽再生システムの概略ブロック図である。この音楽再生システムは、利用者が持参したＣＤを再生若しくはコピーするＣＤドライバ１と、インターネット２からダウンロードした曲若しくはＣＤドライバ１からコピーした曲を記憶する記憶装置３と、キーボード或いはマウスによりデータを入力する入力装置４と、表示内容を液晶若しくはブラウン管に表示するディスプレイ５と、ＤＶＤ或いはビデオソフトから映像を再生するＤＶＤ／ビデオドライバ６と、ＤＶＤ／ビデオドライバ６の映像を大画面に投影するプロジェクタ７と、プロジェクタ７から投影された映像を写すスクリーン８と、ＤＶＤ／ビデオドライバ６或いは制御装置（ＣＰＵ）９から再生された音楽を増幅する増幅器１０と、増幅器１０からの信号を再現するスピーカ１１と、前記全てを制御する制御装置（ＣＰＵ）９と、制御のためのプログラムが記憶されているＲＯＭ１２と、ワーキングメモリとして一時的にデータを記憶するＲＡＭ１３とを備えて構成される。
尚、本システムは所謂パーソナルコンピュータ（ＰＣ）により構成されても構わない。また制御装置（ＣＰＵ）９はインターネット２と接続するためのソフトウェア及びインターフェースを備えている。また、映像を投影する手段として本発明ではプロジェクタ７によりスクリーン８に投影する構成を示してあるが、他の方法、例えばブラウン管、液晶等の手段でも構わない。
【０００９】
本発明の音楽再生システムは、例えば、飲酒や飲食を業とするバーやクラブ或いは飲食店等に設置され、来店した客が飲酒や飲食をしながら、自分の好きな音楽をリクエストしてその曲を再生してもらい、その曲を聞きながら曲のイメージに合った映像を見て飲酒や飲食をするものである。また、リクエストした曲が店にない場合、来店した客自らが持参したＣＤを再生してもらい、それと同時にその曲をコピーしてシステム内のメモリに記憶し、次回来店した時にリクエストできるようにすることも可能となる。更に、リクエストの時にその客のプロフィール或いはその客が自分で事業を経営している場合は、事業の宣伝等をリクエスト曲が再生されたときに同時に映像としてスクリーン上に投影することにより、その映像を見た他の客との更なる親交を深めることもできる。また、店側のサービスとしてリクエスト曲を集計して、週ごとに或いは月ごとにリクエスト曲のランキングを発表することも考えられる（詳細は後述する）。このように、本発明の音楽再生システムを設置することにより、店の宣伝のみならず客同士がその店を核として集まるようになり、店側から見れば固定客が増加し、しかも口コミにより更に集客して結果的に店の営業成績の向上につなげることができる。
【００１０】
図２は本発明の音楽再生システムにおけるリクエスト曲を再生したときに、スクリーン８上に投影した画像の一例を示す図である。この例では、店側にリクエスト曲がなく、客が自ら持参したＣＤを再生した場合の画像例である。その画像には、リクエスト曲のアーティスト名として「アーティスト：××○○」を表示し、「ＣＤを持ってきてくれたお客様」のタイトルの下にお客様の名前「××ΔΔ様」その下に「住所」「年齢」「趣味」等を表示する。このとき「年齢」を表示したくない女性等のお客がいた場合は、適宜必要な項目のみを表示できることは言うまでもない。また、その下の備考欄に、お客様の情報として自店の「ライブ情報」「原宿にて飲食店を経営」等の宣伝を表示しても構わない。このように、曲をリクエストしたお客様のプロフィールを、その曲の再生と併せてスクリーン８上に投影することにより、その画面を見た他の客がそのお客様と親しくなったり、宣伝の店に来店したりして、客同士が親交を深めることができる。
尚、この表示画面は一例であり、表示内容は公序良俗に反しない範囲でどのような内容でも構わない。
【００１１】
図３はお客様のリクエスト曲を集計してランキング表示した表示画面の一例である。図１の制御装置（ＣＰＵ）９はお客様のリクエスト曲を記憶装置３に曲名、アーティスト名及びリクエストしたお客の名前を関連付けて記憶している。従って、その情報を所定の時間単位で集計してリクエストの多い順にランキングとして処理することは容易である。例えば、図のように一番上にタイトルとして、「当店での月間ランキング：１月度」と表示し、ベストテンとして１位から１０位までの曲名を順番に表示する。更に、その下にリクエストされた曲のアーティスト名のランキングを表示しても良い。曲のランキングが低くてもリクエストが多いアーティストがいる場合もある。このように店側の一つのサービスとして、ランキングを集計して適宜発表することにより、お客の興味を引き付け、固定客を増加する要因となる。
図４は現在再生中のお客様のリクエスト曲を説明する表示画面の一例である。例えば、図のように一番上にタイトルとして、「現在流れている曲の説明」として、その下に「曲名」「アーティスト」「作詞者」「作曲者」とこの曲或いはアーティストの現況等を「コメント」として表示し、リクエストしたお客様の名前を表示する。そして、この後に図２のようなリクエストしたお客様のプロフィールを表示するようにしても良い。
【００１２】
図５は本発明の音楽再生システムによるリクエスト方法を説明する動作フローチャートである。また、図６〜図１１はディスプレイ５の表示画面であり、併せて参照しながら説明する。
まず、音楽再生システムが現在曲を再生中か否かを判断し（Ｓ１）曲を再生中であれば（Ｓ１でＹＥＳのルート）、例えば図６のようにディスプレイ５の表示画面２０の行２５に、再生中であるマーク「再生中」２１を表示し、そのとなりに曲名「ＢＯＲＮ  ＩＮ  ＴＨＥ  ＵＳＡ」２２、アーティスト名「ＢＲＵＣＥＳＰＲＩＮＧＳＴＥＥＮ」２３を表示する。ここで、この曲を「浜野」という名前の人がＣＤとして持参した場合は、アーティスト名のとなりに「ＨＡＭＡＮＯ」２４を表示する。そして、他の行３０にはオーガナイザ２６、トラック名２７、アーティスト２８、アルバム２９のタイトル覧が表示され、トラック名２７の欄の行３３には現在再生中の「ＢＯＲＮ  ＩＮ  ＴＨＥ  ＵＳＡ」３１が表示され、アーティスト２８の欄には「ＢＲＵＣＥ  ＳＰＲＩＮＧＳＴＥＥＮ」３２が表示される（Ｓ２）。ステップＳ１で現在曲が再生されていなければ（Ｓ１でＮＯのルート）、ディスプレイ５の表示画面２０には何も表示されない。
次に、お客様のリクエストがある場合は（Ｓ３でＹＥＳのルート）、図７の様に行３０のオーガナイザ２６の欄から入力装置４のマウス等でアーティスト３５を選択して記憶装置３に登録されている全てのアーティスト名を表示する（Ｓ４）。その表示方法はアルファベット順でも他の方法でもかまわない。そして例えば、図７の「ＡＢＣＤ」３６を選択する場合、マウスのカーソル３７を「ＡＢＣＤ」３６に移動してクリックする（Ｓ５でＹＥＳのルート）。
すると図８のように、画面が切り替りトラック名２７の欄にはアーティスト「ＡＢＣＤ」の全曲が表示され、アーティスト２８の欄には当然「ＡＢＣＤ」の名前が表示される（Ｓ６）。そしてトラック名２７の欄から曲名を選択するためにマウスのカーソル４１を、例えば、「ＤＡＮＣＩＮＧ  ＱＥＥＮ」４０に移動してクリックする（Ｓ７でＹＥＳのルート）。
すると図９のように画面上にウインドウ４２が表示され、マウスのカーソル４３を、「コピー（Ｃ）」４４に移動してクリックすると、「ＤＡＮＣＩＮＧ  ＱＥＥＮ」４０が記憶装置３から読み込まれてＲＡＭ１３に記憶（コピー）される（Ｓ８）。ここで、ウインドウ４２内の他の項目をクリックするとその動作が行われるのは、周知のとおりである。
【００１３】
次に「コピー（Ｃ）」４４のクリック動作により、画面が図１０のように現在の画面に戻る（Ｓ９）。この例では、現在「ＲＯＣＫ  ＷＩＴＨ  ＹＯＵ」４５が再生中であり、その曲名が選択されていることを表している。そして同一画面上に再びウインドウ４７が表示される。そしてステップＳ８でコピーした「ＤＡＮＣＩＮＧ  ＱＥＥＮ」４０をリクエスト曲として登録するために、マウスのカーソル４８を、「貼り付け（Ｅ）」４６に移動してクリックすることにより現在再生中の「ＲＯＣＫ  ＷＩＴＨ  ＹＯＵ」４５の上に貼り付けられる（Ｓ１０）。
すると図１１のように「ＲＯＣＫ  ＷＩＴＨ  ＹＯＵ」４５の下に「ＤＡＮＣＩＮＧ  ＱＥＥＮ」４９が配置される（Ｓ１１）。これにより、「ＲＯＣＫ  ＷＩＴＨ  ＹＯＵ」４５が終了すると自動的に「ＤＡＮＣＩＮＧ  ＱＥＥＮ」４９が再生される。ここで、この例では「ＲＯＣＫ  ＷＩＴＨ  ＹＯＵ」４５の下に「ＤＡＮＣＩＮＧ  ＱＥＥＮ」４９が割り込んで配置されたが、例えば、「ＲＯＣＫ  ＷＩＴＨ  ＹＯＵ」４５の下に既に他の曲がリクエストされている場合は、最後に配置することにより割り込みによる不公平をなくすことができる。
【００１４】
【発明の効果】
以上記載のごとく請求項１の発明によれば、音楽再生と映像をリンクし、それらのプロフィールを音楽再生と同時にスクリーンに表示したり、登録済の曲に希望する曲がない場合、外部からＣＤにより希望の曲を入力できるので、利用者の参加意識を高めて営業成績を向上することができる。
また請求項２では、利用者のプロフィールの内容が名前、住所、年齢、趣味及びその他関連事項であるので、他の利用者がそのプロフィールを見て親密になる機会が増加し、しかも店側としてはその情報から利用者の各種分析を行うことができる。
また請求項３では、週単位若しくは月単位の曲名若しくはアーティストのランキングを再生するので、利用者の興味を引き付け、集客率を高め固定利用者を維持して営業成績を高くすることができる。
また請求項４では、音楽曲記憶部にインターネット上からの曲とＣＤからコピーした曲を記憶するので、メモリ領域が同一となりアクセスが容易となる。
また請求項５では、音楽曲記憶部には曲名とアーティスト名及びリクエストした利用者名を関連付けて記憶するので、検索時に検索が容易となり検索時間を短縮することができ、しかもランキングの集計が容易となる。
また請求項６では、ディスプレイ上の表示画面からキーボード若しくマウスにより所定の音楽曲を選択するので、操作性が高く操作のミスを少なくすることができる。
また請求項７では、アーティスト名を選択するとそのアーティストの全曲が表示されるので、曲名を忘れた場合でも思い出すことができ、希望する曲を選択することができる。
また請求項８では、リクエスト曲はディスプレイ上に表示された順番に再生されるので、順番が前後することなく再生され、公平なサービスを提供することができる。
【図面の簡単な説明】
【図１】本発明の一実施形態に係る音楽再生システムの概略ブロック図である。
【図２】本発明の音楽再生システムにおけるリクエスト曲を再生したときに、スクリーン８上に投影した画像の一例を示す図である。
【図３】本発明の音楽再生システムにおけるお客様のリクエスト曲を集計してランキング表示した表示画面の一例である。
【図４】本発明の音楽再生システムにおける現在再生中のお客様のリクエスト曲を説明する表示画面の一例である。
【図５】本発明の音楽再生システムによるリクエスト方法を説明する動作フローチャートである。
【図６】本発明のディスプレイ５に曲名とアーティスト名を表示した表示画面の一例を示す図である。
【図７】本発明のディスプレイ５のオーガナイザの欄を拡大した表示画面の一例を示す図である。
【図８】本発明のディスプレイ５にアーティストが選択されてその全曲名が表示された表示画面の一例を示す図である。
【図９】本発明のディスプレイ５に曲名が選択されてウインドウ画面が表示された表示画面の一例を示す図である。
【図１０】本発明のディスプレイ５に曲名がコピーされて現在の画面に戻り、ウインドウ画面が表示された表示画面の一例を示す図である。
【図１１】本発明のディスプレイ５に曲名が貼り付けられてリクエスト曲が登録された画面が表示された表示画面の一例を示す図である。
【符号の説明】
１  ＣＤドライバ、２  インターネット、３  記憶装置、４  入力装置、５  ディスプレイ、６  ＤＶＤ／ビデオドライバ、７  プロジェクタ、８  スクリーン、９  制御装置（ＣＰＵ）、１０  増幅器、１１  スピーカ、１２  ＲＯＭ、１３  ＲＡＭ
【図１】
2004241027.tif 000003
【図２】
2004241027.tif 000004
【図３】
2004241027.tif 000005
【図４】
2004241027.tif 000006
【図５】
2004241027.tif 000007
【図６】
2004241027.tif 000008
【図７】
2004241027.tif 000009
【図８】
2004241027.tif 000010
【図９】
2004241027.tif 000011
【図１０】
2004241027.tif 000012
【図１１】
2004241027.tif 000013